(57)【要約】【課題】市松配列状に画素を間引いて被圧縮データ量を減らし、画像の圧縮・伸長処理を高速かつ低コストで実現する信号処理方法及び装置を提供する。【解決手段】  画像データの圧縮処理と伸長処理とを行うための信号処理方法であって、行方向及びこれと直交する列方向に正方配列された複数の画素からなる画像データを市松配列状に間引いた間引きデータを生成し、この間引きデータの行方向及び列方向の各ラインに対し、奇数ラインのみ抽出した第１正方配列と、偶数ラインのみ抽出した第２正方配列をそれぞれ生成し、これら第１正方配列と第２正方配列に対してそれぞれ画像圧縮処理を行うようにした。【選択図】  図１
2006340300.tif 000002
【特許請求の範囲】
【請求項１】
画像データの圧縮処理と伸長処理とを行うための信号処理方法であって、
行方向及びこれと直交する列方向に正方配列された複数の画素からなる画像データを市松配列状に間引いた間引きデータを生成し、該間引きデータの前記行方向及び前記列方向の各ラインに対し、奇数ラインのみ抽出した第１正方配列と、偶数ラインのみ抽出した第２正方配列をそれぞれ生成し、前記第１正方配列と前記第２正方配列に対してそれぞれ画像圧縮処理を行うことを特徴とする信号処理方法。
【請求項２】
画像データの圧縮処理と伸長処理とを行うための信号処理方法であって、
行方向及びこれと直交する列方向に正方配列された複数の画素からなる画像データを市松配列状に間引いた間引きデータを生成し、該間引きデータの前記行方向及び前記列方向の各ラインに対し、奇数ラインのみ抽出した第１正方配列と、偶数ラインのみ抽出した第２正方配列をそれぞれ生成し、前記第１正方配列に対して画像圧縮処理した第１圧縮データと、前記第２正方配列に対して画像圧縮処理した第２圧縮データとを生成する画像圧縮処理を行い、
また、前記第１圧縮データを伸長処理して第１伸長データを生成し、前記第２圧縮データを伸長処理して第２伸長データを生成し、さらに、前記第１伸長データに対して前記奇数ラインに１画素飛ばしで再配列し、前記第２伸長データに対して前記偶数ラインに１画素飛ばしで再配列して市松配列状の復元画像を生成する画像伸長処理を行うことを特徴とする信号処理方法。
【請求項３】
請求項２記載の信号処理方法であって、
前記復元画像の再配列対象とならなかった空白画素に対して、周辺画素との補間処理により画素値を設定することを特徴とする信号処理方法。
【請求項４】
画像データの圧縮処理を行うための信号処理装置であって、
行方向及びこれと直交する列方向に正方配列された複数の画素からなる画像データを市松配列状に間引きする間引き手段と、
前記間引きデータの前記行方向及び列方向の各ラインに対し、奇数ラインのみ抽出した第１正方配列と、偶数ラインのみ抽出した第２正方配列をそれぞれ生成するデータ分割手段と、
前記分割した第１正方配列と前記第２正方配列に対して、それぞれ画像圧縮処理を行う画像圧縮手段と、を備えたことを特徴とする信号処理装置。
【請求項５】
画像データの圧縮処理と伸長処理とを行うための信号処理装置であって、
行方向及びこれと直交する列方向に正方配列された複数の画素からなる画像データを市松配列状に間引きする間引き手段と、
前記間引きデータの前記行方向及び前記列方向の各ラインに対し、奇数ラインのみ抽出した第１正方配列と、偶数ラインのみ抽出した第２正方配列をそれぞれ生成するデータ分割手段と、
前記分割した前記第１正方配列に対して画像圧縮処理して第１圧縮データを生成し、前記第２正方配列に対して画像圧縮処理して第２圧縮データを生成する画像圧縮手段と、
前記第１圧縮データを伸長処理して第１伸長データを生成し、前記第２圧縮データを伸長処理して第２伸長データを生成する画像伸長手段と、
前記第１伸長データに対して前記奇数ラインに１画素飛ばしで再配列し、前記第２伸長データに対しては前記偶数ラインに１画素飛ばしで再配列して市松配列状の復元画像を生成する復元画像生成手段と、を備えたことを特徴とする信号処理装置。
【請求項６】
請求項５記載の信号処理装置であって、
さらに、前記復元画像の再配列対象とならなかった空白画素に対して、周辺画素との補間処理により画素値を設定する補間手段を備えたことを特徴とする信号処理方法。
【請求項７】
請求項１〜請求項３のいずれか１項記載の信号処理方法をコンピュータに実行させるためのプログラム。
【請求項８】
請求項１〜請求項３のいずれか１項記載の信号処理方法又は請求項４〜請求項６のいずれか１項記載の信号処理装置により作成された画像圧縮データを記録した情報記録媒体。
【発明の詳細な説明】
【技術分野】
【０００１】
本発明は、入力画像データの画像圧縮処理や、圧縮画像データの伸長処理を行う信号処理方法及び信号処理装置、並びに信号処理プログラム及び情報記録媒体に関する。
【背景技術】
【０００２】
従来より、デジタル画像データに対してサービスを提供する様々なシステムが出現している。例えば、ネガフィルムをスキャナでスキャンして得たもの、デジタルカメラにより撮影して得たものなどのデジタル画像データの保存、管理を行うシステムや、こうしたデジタル画像データをネットワークを介して伝送するシステム等、各種のサービスが提供されている。
図１０は従来の静止画像伝送装置の送信側装置のプロック図である。図１０に示す静止画画像伝送装置は、従来のホームページ閲覧や、テレビ電話などのデジタル画像データの伝送サービスに関する一例を示したもので、デジタル画像データの圧縮方式として一般に知られているＪＰＥＧ（Joint Photographic Experts Group）方式を用いた画像データの伝送技術の改善に関するものである。
【０００３】
まず、デジタル画像作成手段１０１において、ＣＣＤ等の撮像手段やハードディスク等の記録媒体に蓄積されているデジタル画像データを入力して、輝度信号、色差信号の８ビットデータに変換する。次の画像分割圧縮手段１０２では、作成したデジタル画像データに対してＪＰＥＧ圧縮処理を行うためのブロック分割として、周知の８×８画素の正方配列のブロック単位で１画面を複数ブロックに分割する。分割結果として１画面＝ｎ行×ｍ列のブロック数に分割され、１ブロックは８×８画素の正方配列となる。こうして分割された単位ブロック毎の８×８画素に対して、まず、ＤＣＴ変換を行う。ＤＣＴ変換は周知のように、８×８画素の原画像データを転置コサイン係数行列とコサイン係数とを用い、行列演算を行って空間座標軸より周波数座標軸に変換して低周波、高周波成分に分離するものである。
【０００４】
更に、画像分割圧縮手段１０２では、ｎ×ｍブロックの１画面を２枚作成する。作成した２枚の分割画面Ａ、Ｂに対して、図１１（ａ），（ｂ）に示すような、市松模様となるブロックの間引き処理を行う。間引き処理は、例えば、分割画面Ａの場合はブロックが奇数行且つ奇数列の場合は通常の量子化を行い、奇数行且つ偶数列の場合はＤＣ係数のみ量子化してＡＣ係数は０とする等の操作を行う。例えば図１１（ａ）に示す分割画面Ａの場合は、白抜きのブロックが通常の量子化のブロックで、斜線のブロックが０のブロックとなり、市松配列状に間引きされる。ちなみに周知の量子化演算は、ＤＣＴ演算された正方配列の係数行列を、正方配列の量子化テーブルにより除算して、行列左上の低周波成分を精細に、右下の高周波成分を粗く量子化するもので、この場合のもう一つの量子化は左最上端のＤＣ係数のみを量子化して他のＡＣ係数は全て０とするものである。この２つの量子化による間引きはＡ、Ｂ２枚の画面について行い、図１１（ａ），（ｂ）のような分割画面Ａ、Ｂを作成する。量子化により間引き処理された画像データは、ハフマン符号化などにより符号化処理されて、ＪＰＥＧ圧縮データとして画像データ送信手段１０３より出力される。
【０００５】
このように圧縮処理された画像データをインターネット等の伝送路１０４を介して受信する場合は、分割画面Ａ、ＢをＩＤ情報に基づき白抜きブロックを抽出し、元の１枚の画面に合成してから伸長手段によりＪＰＥＧ圧縮の逆変換を行い復号して表示させる（特許文献１参照）。
【特許文献１】特開平１１−２６１８２４号公報
【発明の開示】
【発明が解決しようとする課題】
【０００６】
しかしながら、更なる画像の圧縮・伸長を高速・低コストで行うためには、静止画圧縮等の圧縮処理を行う前の画素の段階で被圧縮データ量を減らすことが有効な手段であるが、画素データを減らす場合に単純に縦横方向に間引くと縦横方向の解像度が低下するので画質への影響が大きいという欠点がある。一方、市松状に間引けば縦横方向の解像度低下は改善され画質への影響の少ないが、市松状に画素データを間引いているために量子化テーブルによる量子化演算等の正方配列の演算が不可能となる。従って、画面をブロックに分割しない圧縮の場合も、特許文献１のように８×８画素のブロック単位に画面を分割する場合も、事前に画素間引きが行われると画素配列が正方配列とならないために圧縮演算が不可能となり、圧縮処理ができないという問題があった。
【０００７】
本発明は、このような問題点に鑑みてなされたものであり、画質を低下させずに被圧縮データ量を減らした上で画像圧縮を可能にして、画像の圧縮・伸長を高速かつ低コストで実現できる信号処理方法及び信号処理装置、並びに信号処理プログラム及び情報記録媒体を提供することを目的としている。
【課題を解決するための手段】
【０００８】
本発明に係る上記目的は、下記構成により達成される。
（１）  画像データの圧縮処理と伸長処理とを行うための信号処理方法であって、行方向及びこれと直交する列方向に正方配列された複数の画素からなる画像データを市松配列状に間引いた間引きデータを生成し、該間引きデータの前記行方向及び前記列方向の各ラインに対し、奇数ラインのみ抽出した第１正方配列と、偶数ラインのみ抽出した第２正方配列をそれぞれ生成し、前記第１正方配列と前記第２正方配列に対してそれぞれ画像圧縮処理を行うことを特徴とする信号処理方法。
【０００９】
この信号処理方法によれば、正方配列された複数の画素からなる画像データを市松配列状に間引いた間引きデータを生成し、この間引きデータの行方向及び列方向の各ラインに対し、奇数ラインのみ抽出した第１正方配列と偶数ラインのみ抽出した第２正方配列を生成し、これらの各正方配列に対して個別に画像圧縮処理を行うことで、画素段階で画質を低下させずに被圧縮データ量を減らして画像圧縮が行える。
【００１０】
（２）  画像データの圧縮処理と伸長処理とを行うための信号処理方法であって、行方向及びこれと直交する列方向に正方配列された複数の画素からなる画像データを市松配列状に間引いた間引きデータを生成し、該間引きデータの前記行方向及び前記列方向の各ラインに対し、奇数ラインのみ抽出した第１正方配列と、偶数ラインのみ抽出した第２正方配列をそれぞれ生成し、前記第１正方配列に対して画像圧縮処理した第１圧縮データと、前記第２正方配列に対して画像圧縮処理した第２圧縮データとを生成する画像圧縮処理を行い、また、前記第１圧縮データを伸長処理して第１伸長データを生成し、前記第２圧縮データを伸長処理して第２伸長データを生成し、さらに、前記第１伸長データに対して前記奇数ラインに１画素飛ばしで再配列し、前記第２伸長データに対して前記偶数ラインに１画素飛ばしで再配列して市松配列状の復元画像を生成する画像伸長処理を行うことを特徴とする信号処理方法。
【００１１】
この信号処理方法によれば、正方配列された画素からなる画像データを市松配列状に間引いた間引きデータを生成し、この間引きデータの行方向及び列方向の各ラインに対し、奇数ラインのみ抽出した第１正方配列と、偶数ラインのみ抽出した第２正方配列をそれぞれ生成し、第１正方配列に対して画像圧縮処理した第１圧縮データと、第２正方配列に対して画像圧縮処理した第２圧縮データとを生成することができる。また、第１圧縮データを伸長処理して第１伸長データを生成し、第２圧縮データを伸長処理して第２伸長データを生成し、さらに、第１伸長データに対して前記奇数ラインに１画素飛ばしで再配列し、第２伸長データに対して偶数ラインに１画素飛ばしで再配列することで、市松配列状の復元画像を生成することができる。
【００１２】
（３）  （２）記載の信号処理方法であって、前記復元画像の再配列対象とならなかった空白画素に対して、周辺画素との補間処理により画素値を設定することを特徴とする信号処理方法。
【００１３】
この信号処理方法によれば、元の画像データに近い状態の復元画像を得ることができる。
【００１４】
（４）  画像データの圧縮処理を行うための信号処理装置であって、行方向及びこれと直交する列方向に正方配列された複数の画素からなる画像データを市松配列状に間引きする間引き手段と、前記間引きデータの前記行方向及び列方向の各ラインに対し、奇数ラインのみ抽出した第１正方配列と、偶数ラインのみ抽出した第２正方配列をそれぞれ生成するデータ分割手段と、前記分割した第１正方配列と前記第２正方配列に対して、それぞれ画像圧縮処理を行う画像圧縮手段と、を備えたことを特徴とする信号処理装置。
【００１５】
この信号処理装置によれば、間引き手段により、正方配列された複数の画素からなる画像データを市松配列状に間引いた間引きデータを生成し、データ分割手段が、この間引きデータの行方向及び列方向の各ラインに対し、奇数ラインのみ抽出した第１正方配列と前記第２正方配列を抽出し、画像圧縮手段が、これらの各正方配列に対して個別に画像圧縮処理を行うことで、画素段階で画質を低下させずに被圧縮データ量を減らして画像圧縮が行える。
【００１６】
（５）  画像データの圧縮処理と伸長処理とを行うための信号処理装置であって、行方向及びこれと直交する列方向に正方配列された複数の画素からなる画像データを市松配列状に間引きする間引き手段と、前記間引きデータの前記行方向及び前記列方向の各ラインに対し、奇数ラインのみ抽出した第１正方配列と、偶数ラインのみ抽出した第２正方配列をそれぞれ生成するデータ分割手段と、前記分割した前記第１正方配列に対して画像圧縮処理して第１圧縮データを生成し、前記第２正方配列に対して画像圧縮処理して第２圧縮データを生成する画像圧縮手段と、前記第１圧縮データを伸長処理して第１伸長データを生成し、前記第２圧縮データを伸長処理して第２伸長データを生成する画像伸長手段と、前記第１伸長データに対して前記奇数ラインに１画素飛ばしで再配列し、前記第２伸長データに対しては前記偶数ラインに１画素飛ばしで再配列して市松配列状の復元画像を生成する復元画像生成手段と、を備えたことを特徴とする信号処理装置。
【００１７】
この信号処理装置によれば、間引き手段により、正方配列された画素からなる画像データを市松配列状に間引いた間引きデータを生成し、データ分割手段により、この間引きデータの行方向及び列方向の各ラインに対し、奇数ラインのみ抽出した第１正方配列と、偶数ラインのみ抽出した第２正方配列をそれぞれ生成し、画像圧縮手段により、第１正方配列に対して画像圧縮処理した第１圧縮データと、第２正方配列に対して画像圧縮処理した第２圧縮データとを生成することができる。また、画像伸長手段により、第１圧縮データを伸長処理して第１伸長データを生成し、第２圧縮データを伸長処理して第２伸長データを生成し、さらに、復元画像生成手段により、第１伸長データに対して前記奇数ラインに１画素飛ばしで再配列し、第２伸長データに対して偶数ラインに１画素飛ばしで再配列することで、市松配列状の復元画像を生成することができる。
【００１８】
（６）  （５）記載の信号処理装置であって、さらに、前記復元画像の再配列対象とならなかった空白画素に対して、周辺画素との補間処理により画素値を設定する補間手段を備えたことを特徴とする信号処理装置。
【００１９】
この信号処理装置によれば、元の画像データに近い状態の復元画像を得ることができる。
【００２０】
（７）  （１）〜（３）のいずれか１項記載の信号処理方法をコンピュータに実行させるためのプログラム。
【００２１】
このプログラムによれば、上記の信号処理をコンピュータにより実行させることができる。
【００２２】
（８）  （１）〜（３）のいずれか１項記載の信号処理方法又は（４）〜（６）のいずれか１項記載の信号処理装置により作成された画像圧縮データを記録した情報記録媒体。
【００２３】
この情報記録媒体によれば、上記の信号処理方法又は信号処理装置により作成された画像圧縮データを情報記録媒体に記憶させることで、画像データの保管、移送、頒布などが可能となる。
【発明の効果】
【００２４】
本発明によれば、画素を間引いた市松配列画像を偶数・奇数ラインに分割して、それぞれ正方配列画像として圧縮・伸長を行うことによって、間引き処理による画質に影響する縦横方向の解像度低下を改善でき、且つ被圧縮データ量の削減による圧縮の高速化、低コスト化が可能となる。
【発明を実施するための最良の形態】
【００２５】
以下、本発明に係る信号処理方法、信号処理装置の好適な実施の形態について図を参照して詳細に説明する。
図１は本発明の信号処理装置のブロック構成図、図２は図１に示すデータ入力部の画像データを示す図、図３は図１に示す間引き手段による間引きデータを示す図、図４は図３に示す間引き画像を分割した（ａ）正方配列分割画像Ａ、（ｂ）正方配列分割画像Ｂを示す図である。
【００２６】
図１に示す信号処理装置１では、データ入力部４より、ＣＣＤ等の撮像手段や、ハードディスク、メモリ・カード等の各種記録媒体等から、図２に示すような画像データＤ（ｉ，ｊ）を入力する。但し、ｉ：行番号、ｊ：列番号である。画像圧縮部２の間引き手段５は、図３に示すように、入力された画素データを奇数ラインＡ（ｉ，ｊ）、偶数ラインＢ（ｉ，ｊ）毎に市松配列状に間引いて間引き画像を生成する。データ分割手段６は、間引き処理した画像を、図４（ａ）に示すような奇数ラインＡのみの正方配列分割画像と、図４（ｂ）に示すような偶数ラインＢのみの正方配列分割画像に分割する。画像圧縮手段７は、正方配列分割画像Ａ，Ｂのそれぞれに対して、ＤＣＴ演算、量子化演算、符号化処理による周知の通常の画像圧縮を行って、ネットワークあるいは記録媒体等へ出力するデータ出力部１１や、画像伸長部３へ圧縮データを出力する。
【００２７】
図５は図４に示す正方配列の正方配列分割画像Ａ，Ｂを市松配列状に再配列した合成画像を示す図である。
一方、画像伸長部３は、データ入力部４或いは画像圧縮部２から圧縮画像を入力する。そして、画像伸長手段８では、正方配列分割画像Ａ、Ｂをハフマン複合化、逆量子化演算、逆ＤＣＴ演算の順に伸長処理を行ない、復元画像生成手段９では、正方配列分割画像Ａ，Ｂの各伸長画像を図５のようにＲ，Ｓ画像として元の市松配列状に再配列して復元する。補間手段１０では、例えば、図６に示すようなフィルタ係数を用いた畳み込み演算を行って補間することで、市松配列状から図７に示すような間引き前の画像に近い状態に復元する。復元された画像は記録媒体、表示装置等へ出力するデータ出力部１１へ出力される。なお、以上の各手段の処理が、図示しないコンピュータのＣＰＵによる信号処理プログラムの内容を示している。この信号処理プログラムにより作成された圧縮画像データ等は、光ディスクや磁気ディスク等の情報記録媒体に記憶させることで、画像データの保管、移送、頒布などが可能となる。また、情報記録媒体に限らず、画像データをインターネットを介して伝送することも可能となる。
【００２８】
次に、画像圧縮部２による画像圧縮処理の手順を詳細に説明する。
図８に図１に示す画像圧縮部の処理のフローチャートを示した。以下、このフローチャートの流れに沿って説明する。
まず、データ入力部４よりＣＣＤ等の撮像手段や、メモリ・カードやハードディスク等の記録媒体から画像データＤ（ｉ，ｊ）を入力する（Ｓ１１）。次に、入力画像の各画素Ｄ（ｉ，ｊ）を、図３に示すように市松配列状に間引く処理を行う（Ｓ１２）。そして、奇数ラインを画素Ａ、偶数ラインを画素Ｂとして、各画素Ａ（ｉ，ｊ）、画素Ｂ（ｉ，ｊ）を定義する。
【００２９】
次いで、図３のように間引いた市松配列状のＡ，Ｂ各画素を、画像Ａ、画像Ｂとしてそれぞれ分割し、奇数ラインのみ抽出した第１正方配列と、偶数ラインのみ抽出した第２正方配列とを作成する（Ｓ１３）。その結果が、図５（ａ），（ｂ）である。図５（ａ）が画素Ａからなる正方配列分割画像であり、図５（ｂ）が画像Ｂからなる正方配列分割画像である。
【００３０】
そして、第１正方配列と第２正方配列に分割した各正方配列分割画像Ａ，Ｂを、各々個別に圧縮処理する（Ｓ１４）。この圧縮後のデータは、第１正方配列に対する第１圧縮画像データ、第２正方配列に対する第２圧縮画像データとして生成される。この場合の圧縮処理は通常の圧縮処理であって、例えばＪＰＥＧ圧縮ならば、ブロック８×８画素の正方配列として、ＤＣＴ変換処理、ジグザグ・スキャン等による量子化演算、ハフマン符号化処理を行う。圧縮した画像ファイルには、画素ＩＤ、間引き画素、分割画像、分割画像枚数、ブロック数、画像ファイル名、等の各種ＩＤ情報を圧縮データ内に挿入して、画像伸長部３や、記録媒体、又はネットワークなどに接続されるデータ出力部１１へ出力される（Ｓ１５）。
【００３１】
次に、画像伸長部３による画像伸長処理の手順を詳細に説明する。
図９に図１に示す画像伸長部の処理のフローチャートを示した。以下、このフローチャートの流れに沿って説明する。
画像伸長部３は、上記の第１、第２圧縮画像データを、画像圧縮部２から受信、或いは記録媒体等からデータ入力部４を通して入力する（Ｓ２１）。そして、画像伸長手段８は、入力された各圧縮画像データの伸長処理を行う（Ｓ２２）。この伸長処理は通常の処理であって、可逆処理であるハフマン複合化、非可逆処理の量子化演算、ＤＣＴ変換に対する、逆量子化演算、逆ＤＣＴ演算を行う処理である。
【００３２】
続いて、各圧縮画像データに対して伸長処理を行った第１伸張データと第２伸張データの結果を、各画素のＩＤ符号等の各種ＩＤ情報を参照して、図５の合成図に示すように、Ｒ（ｉ，ｊ）、Ｓ（ｉ，ｊ）のような、分割前の市松配列状に再配列する（Ｓ２３）。ここで奇数ラインＲ（ｉ，ｊ）は、図３に示すＡ（ｉ，ｊ）に相当し、偶数ラインのＳ（ｉ，ｊ）は、図３に示すＢ（ｉ，ｊ）に相当する。
【００３３】
つまり、第１圧縮データを伸長処理して第１伸長データを生成し、第２圧縮データを伸長処理して第２伸長データを生成し、さらに、第１伸長データに対して奇数ラインに１画素飛ばしで再配列し、第２伸長データに対して偶数ラインに１画素飛ばしで再配列して市松配列状の復元画像を生成する。
【００３４】
上記のように伸張処理後のデータを元の市松配列状に再配列することで、間引き状態の図３に示す画像が復元される。次に、間引き前の図２に示す状態に復元するかを判断し（Ｓ２４）、復元処理を行う場合は、図５に示す市松配列状の画像のうち、前述の再配列の対象とならなかった白抜きの空白画素の位置に、周囲の画素を参照して補間演算により生成した画素を埋め込む補間演算を行う（Ｓ２５）。補間演算は、周知のフィルタリング処理による畳み込み演算を行う。図６にフィルタリング処理に用いるフィルタの一例を示す。このフィルタでは、基準位置２０に対してフィルタ係数により空白画素が補間される。例えば、図５に示す画素２３（図７のＩＰ（１，２）に相当）に対しては、Ｒ（１，２）／２ ＋ Ｓ（１，１）／２ の演算値が設定される。
【００３５】
このようにして、間引く前の図９に示すような画素データで埋められた復元画像データＩＰ（ｉ，ｊ）が生成され、復元画像として表示装置等へ出力される（Ｓ２６）。
【００３６】
以上説明したように、本発明に係る信号処理方法によれば、画質を低下させずに被圧縮データ量を減らした上で画像圧縮を可能にして、画像の圧縮・伸長を高速かつ低コストで実現することができる。
なお、圧縮方式としては静止画圧縮のＪＰＥＧの例を挙げたが、これに限らず、ＭＰＥＧ等の他の圧縮方式に対しても適用可能である。
【図面の簡単な説明】
【００３７】
【図１】本発明に係る信号処理装置のブロック構成図である。
【図２】図１に示すデータ入力部の画像データを示す図である。
【図３】図１に示す間引き手段による間引きデータを示す図である。
【図４】図３に示す間引き画像を分割した（ａ）正方配列分割画像Ａ、（ｂ）正方配列分割画像Ｂを示す図である。
【図５】図４に示す正方配列分割画像Ａ，Ｂを市松配列状に再配列した合成画像を示す図である。
【図６】図５に示す市松配列状画像を補間するためのフィルタ係数を示す図である。
【図７】図６に示すフィルタ係数により補間して復元した復元画像データを示す図である。
【図８】図１に示す画像圧縮部の処理のフローチャートである。
【図９】図１に示す画像伸長部の処理のフローチャートである。
【図１０】従来の静止画像伝送装置のブロック図である。
【図１１】図１０に示す静止画像伝送装置の２分割画像の説明図である。
【符号の説明】
【００３８】
１  信号処理装置。
２  画像圧縮部
３  画像伸長部
４  データ入力部
５  間引き手段
６  データ分割手段
７  画像圧縮手段
８  画像伸長手段
９  復元画像生成手段
１０  補間手段
１１  データ出力部
【図１】
2006340300.tif 000003
【図２】
2006340300.tif 000004
【図３】
2006340300.tif 000005
【図４】
2006340300.tif 000006
【図５】
2006340300.tif 000007
【図６】
2006340300.tif 000008
【図７】
2006340300.tif 000009
【図８】
2006340300.tif 000010
【図９】
2006340300.tif 000011
【図１０】
2006340300.tif 000012
【図１１】
2006340300.tif 000013